(57)【特許請求の範囲】
【請求項１】
身体表面におけるエネルギーチャネルポイント及び他のエネルギーポイントを直接刺激することにより、頭部、顔面部、及び身体における痛みを効果的に軽減するためのマッサージバイブレータであって、
電池により駆動される振動発生器（１６）を取り囲む中心ボディ（１１）と、
前記中心ボディの少なくとも一方の側から延び、自由端部において拡大して丸形を有する能動的末端ヘッドとなる、少なくとも一対の弾性アーム（１４）と、を備え、
前記各一対の各アームの前記末端ヘッドが、近接した間隔で配置され、その間が治療用の隙間を構成して刺激されるべきポイントに当てられて、
前記治療用の隙間に配置される前記選択されたポイントにおいて振動によるマッサージを行うために、前記ボディの前記バイブレータにより生じた振動が、前記弾性アームを介して、前記末端ヘッド（１５）に伝えられることを特徴とするマッサージバイブレータ。
【請求項２】
前記一対の弾性アームが２組設けられ、前記中央ボディにおける対向する側にそれぞれ配置されている、請求項１に記載のマッサージバイブレータ。
【請求項３】
前記弾性アーム（１４）は、前記中心ボディに連結され、内側に対向する湾曲部と相互に湾曲する自由端部とを伴った湾曲形状を有し、該自由端部に対して前記能動的末端ヘッド（１５）が用いられている請求項１に記載のマッサージバイブレータ。
【請求項４】
各能動的末端ヘッドは、球形、楕円形、円筒形、または他の形状のいずれかである請求項１から３のいずれかに記載のマッサージバイブレータ。
【請求項５】
前記中心ボディは、必要に応じて前記振動発生器を始動したり停止したりするための電気スイッチ（２０）を備え、
前記スイッチは、前記ボディの回転ふた部の上部に位置するか、または前記ボディの回転ふた部から成る請求項１から４のいずれかに記載のマッサージバイブレータ。
【請求項６】
前記振動発生器は、電磁気装置または電気的に駆動されるカムである請求項１から５のいずれかに記載のマッサージバイブレータ。
【発明の詳細な説明】
【０００１】
（発明の属する技術分野）
本発明は、人間の頭部、顔面部、及び身体に対する痛みに積極的に作用させることができるマッサージバイブレータのような電気医療装置を提供する。
【０００２】
（発明の背景）
何千年にも渡り使用されてきた、東洋の、特に中国の伝統的な療法において、内部器官及び種々の身体領域における障害、症状及び病気に対して、身体表面のある部分を刺激することが、いかに好ましい効果を持ち得るかが、発見されてきた。発見された多数のポイントの中には、間違いなく最も重要なポイントとして、内部の多数のエネルギーチャネルポイントと、これらのチャネルの多数の交差ポイントとがある。これらのポイントは、手の親指と人差し指との間と、足の親指の付け根とに、それぞれ位置しており、生命エネルギーに対して全般的な影響を有するのみでなく、一般に、偏頭痛、頭痛、歯痛、及び他の身体の痛みなど、顔面部及び頭部に対する種々の形態の痛みに対して特に有効である。
【０００３】
時が経つにつれて、刺鍼領域の治療は、非常に改良され精巧となった刺激方法により、その質が高まってきた。石や骨から成る原始的な針から、金や銀から成る針に、そして今日用いられている鋼鉄製の針へと移り変わってきた。熱による刺激から、磁気インパルスを利用した電気による刺激、及びレーザーによる刺激へ、まだ実験段階にある他の多くの方法と同様に、到達した。エネルギーポイントを振動させることを含む手動のマイクロマッサージは、常時最も効果的な方法の一つとされてきたが、この考えは、問題のポイントを深く正確に加圧する機械的な動きが振動と組み合わされた本発明のマッサージバイブレータの設計には劣っている。
【０００４】
この組み合わされた動きにより、オペレータの手による行為に起因する小休止や中断のいずれも起こらずに、機械により、特定のポイントを振動させて、真に適切なマイクロマッサージを実行することができ、頭部、顔面部、及び身体表面の他の部分の種々の痛みに対して非常に高い効果が得られる。
【０００５】
（発明の概要）
本明細書において提案されているマッサージバイブレータは、電池駆動された振動発生器を取り囲む中心ボディと、該中心ボディの少なくとも一方の側に、好ましくは中心ボディの両側にある一対の弾性アームと、各アームの自由端部にあるヘッドとから構成されている。次に、中心ボディ内のバイブレータにより生じた振動は、弾性アームにより、刺激を受けるポイントに当てられた能動的末端ヘッドへ伝えられ、これにより、痛みに対して効果的な振動マッサージが行われる。
【０００６】
従って、マッサージバイブレータは、オペレータを必要とせずに、患者自身が自主的に、取り扱い、使用し、制御することができるので、単純で簡単に使用できる装置といえる。それは、額、こめかみ、頭頂部における痛み、偏頭痛、歯痛、頸部の、ずきずきする痛み、痙攣、及びひりひりする痛みなどの痛みに対して、また、脱毛、不安、不眠、心配、怒りなどに対して、概ねリラックスするための現代的で有効なレスポンスである。
【０００７】
本発明について、添付の図面に関連して、以下にさらに詳細に説明する。図面は図示のためのものであり、これに拘束されるものではない。
【０００８】
（好ましい実施の形態）
本装置は、プラスチック製の中心ボディコンテナ（１１）と、底部に固定されたフランジ部（１２）と、上部の取り外し可能なふた部（１３）とから成る。中心ボディの両側または少なくとも一方の側から湾曲し弾力のある２本のアーム（１４）がさらに備えられ、各アームは能動的末端ヘッド（１５）を有している。各一対の湾曲アームは、ボディに連結されており、各アームは、内側に対向する湾曲部を有し、自由端部において相互に湾曲している。各アーム（１４）の末端ヘッド（１５）は、球形であるのが好ましいが、これは、必要と考えられる場合において、半球形、楕円形、円筒形などを除外するものではない。
【０００９】
ボディコンテナ（１１）内において、振動発生器（１６）が収容され保護されている。これは、電磁気によるか、または図示したように、２本の電池（１７）、例えば１．５Ｖのアルカリ電池により電気駆動されるモータを有するカム（１９）とすることができる。ふた部内において、各電池用の支持スプリングと、ふた部をねじるか軸方向に動かすことによりまたはスイッチ（２０）操作により、振動発生器の電気回路を開閉させる接点（１８）とが存在している。
【００１０】
図４及び図５において示したように、本装置は、患者が、必要に応じて、直接手に取り、弾性アーム（１４）の末端ヘッド（１５）を刺激する手のポイントに当てて、振動発生器（１６）を始動するためにふた部を動かして、用いることができる。このように、振動は、前述の有益な効果を生じさせる振動によるマッサージの動きを伴い、刺激されるポイントに伝えられる。
【図面の簡単な説明】
【図１】  本装置の斜視図である。
【図２】  図１の装置を側面から見た断面図である。
【図３】  本装置を水平方向から見た断面図である。
【図４】  使用時における本装置の側面図である。
【図５】  本装置の他の使用方法を示す図である。
【図６】  本装置の他の使用方法を示す図である。
【図１】
0004154711.tif 000002
【図２】
0004154711.tif 000003
【図３】
0004154711.tif 000004
【図４】
0004154711.tif 000005
【図５】
0004154711.tif 000006
【図６】
0004154711.tif 000007